(57)【要約】【課題】  １つの呼あたりの通信量を低減させて、通信負荷を抑え、VOIP電話システムの通信状態を安定化させる呼制御サーバー装置を提供する。【解決手段】  通話要求受付手段１が発呼側の加入者から通話要求を受付け、接続情報取得手段２が加入者の接続情報をこの通話要求から取得し、登録手段４が記憶部３によりこの接続情報を加入者情報３ａに登録し、２回目以降の加入者からの通話要求の受付時には、登録確認手段５が加入者情報３ａに基づいてこの加入者の接続情報が登録されているかを確認し、ＩＰ接続手段６が登録された接続情報に基づいて着呼側の加入者と接続し、変更受付手段７が加入者の契約変更を受付ける。【選択図】    図１
2010232830.tif 000002
【特許請求の範囲】
【請求項１】
発呼側及び着呼側の加入者の通話を呼制御により確立する呼制御サーバー装置において、
加入者からの通話要求を受付ける通話要求受付手段と、
当該通話要求受付手段に基づいて、当該加入者に関する接続情報を当該加入者に問い合わせて取得する接続情報取得手段と、
前記接続情報取得手段にて取得した各加入者の接続情報に関する加入者情報を登録する登録手段と、
前記通話要求受付手段にて通話要求を受付けた発呼側の加入者の接続情報が、前記登録手段に登録されているかを確認する登録確認手段と、
前記接続情報に基づいて前記発呼側及び着呼側の加入者を接続する接続手段とを備え、
接続情報取得手段が、前記登録確認手段に基づいて、前記発呼側の加入者の接続情報が前記加入者情報に登録済みの場合には、前記登録された接続情報に基づいて着呼側の加入者と接続する
呼制御サーバー装置。
【請求項２】
請求項１に記載の呼制御サーバー装置において、
前記加入者の変更を受付ける変更受付手段を備え、
前記登録手段が、前記変更受付手段に基づいて、前記加入者が変更された場合には、変更前の前記加入者の前記加入者情報を、変更後の前記加入者の前記加入者情報として登録する
呼制御サーバー装置。
【請求項３】
請求項１に記載の呼制御サーバー装置において、
前記通話要求受付手段に基づいて、前記加入者からの前記通話要求に含まれる加入者識別子であって、前記加入者を一意に識別する加入者識別子を抽出するフォーマット解析手段を備え、
前記登録手段が、前記フォーマット解析手段に抽出された前記加入者識別子に基づいて、前記加入者が変更された場合には、変更前の前記加入者の前記加入者情報を、変更後の前記加入者の前記加入者情報として登録する
呼制御サーバー装置。
【請求項４】
発呼側及び着呼側の加入者の通話を呼制御により確立する呼制御サーバー方法において、
加入者からの通話要求を受付ける通話要求受付工程と、
当該通話要求受付工程に基づいて、当該加入者に関する接続情報を当該加入者に問い合わせて取得する接続情報取得工程と、
前記接続情報取得工程にて取得した各加入者の接続情報に関する加入者情報を登録する登録工程と、
前記通話要求受付工程にて通話要求を受付けた発呼側の加入者の接続情報が、前記登録工程に登録されているかを確認する登録確認工程と、
前記接続情報に基づいて前記発呼側及び着呼側の加入者を接続する接続工程とを備え、
接続情報取得工程が、前記登録確認工程に基づいて、前記発呼側の加入者の接続情報が前記加入者情報に登録済みの場合には、前記登録された接続情報に基づいて着呼側の加入者と接続する
呼制御サーバー制御方法。
【請求項５】
発呼側及び着呼側の加入者の通話を呼制御により確立する呼制御サーバープログラムにおいて、
加入者からの通話要求を受付ける通話要求受付手段、
当該通話要求受付手段に基づいて、当該加入者に関する接続情報を当該加入者に問い合わせて取得する接続情報取得手段、
前記接続情報取得手段にて取得した各加入者の接続情報に関する加入者情報を登録する登録手段、
前記通話要求受付手段にて通話要求を受付けた発呼側の加入者の接続情報が、前記登録手段に登録されているかを確認する登録確認手段、
前記接続情報に基づいて前記発呼側及び着呼側の加入者を接続する接続手段としてコンピュータを機能させ、
接続情報取得手段が、前記登録確認手段に基づいて、前記発呼側の加入者の接続情報が前記加入者情報に登録済みの場合には、前記登録された接続情報に基づいて着呼側の加入者と接続する
呼制御サーバープログラム。
【発明の詳細な説明】
【技術分野】
【０００１】
本発明は、呼制御を行うことで加入者間通話を確立する呼制御サーバー装置に関して、特に処理シーケンスを改善することにより通信負荷を軽減する呼制御サーバー装置に関する。
【背景技術】
【０００２】
近年、IP(Internet Protocol）網を中継して、双方向に画像や音声をパケットデータとして、リアルタイムに送受信するVOIP(Voice Over Internet Protocol）電話システムが普及している。このVOIP電話システムは、通信プロトコルとしてSIP（Session Initiation Protocol）が広く利用されている。また、当該SIPプロトコルに従い、VOIP電話システムの呼制御を行うサーバー端末として、通常、SIPサーバーが利用される。
【０００３】
近年、呼制御サーバー装置としてSIPサーバー及びWEBサーバーを連携し、契約者（加入者）からのWEB画面操作を元にWEBサーバーからの要求に基づいてSIPサーバーから契約者及び宛て先電話に対して発信し、通話呼を生成する「Click to Dial」サービスが提供されている。当該サービスは、別名「Click to Call」とも呼ばれ、パソコン画面にアイコンやリンクとして表示された電話番号をクリックするだけで発信できるため、容易且つ迅速な電話発信が求められる状況、例えば、コールセンターにて活用されている。
【０００４】
呼制御サーバー装置は、SIPサーバーを含み、多種の呼処理サービスを提供しているが、１つの呼に含まれる情報量が増加する傾向にあり、呼制御サーバー装置を含むシステム全体の通信負荷が高まっている。
【０００５】
従来の呼制御サーバー装置としては、「Click to Dial」サービスを実行する場合、制御処理をSIPサーバー装置と電話帳サーバー装置との間で協働して実行することにより、SIPサーバーのメモリ削減を可能とする技術が知られている（例えば、特許文献１参照）。
【先行技術文献】
【特許文献】
【０００６】
【特許文献１】特開２００６―３３３２２０号公報
【発明の概要】
【発明が解決しようとする課題】
【０００７】
しかし、従来の呼制御サーバー装置は、１つの呼に含まれる情報量が増加すると共に、１つの呼あたりの通信量が増加するため、通信負荷が高まり、VOIP電話システムの通信状態を不安定にさせるという課題を有する。
【０００８】
本発明は前記課題を解消するためになされたもので、１つの呼あたりの通信量を低減させることにより通信負荷を抑え、VOIP電話システムの通信状態を安定化させる呼制御サーバー装置の提供を目的とする。
【課題を解決するための手段】
【０００９】
本願に開示する呼制御サーバー装置は、加入者から通話要求を受付けた時点で、当該加入者の接続情報を加入者情報として登録し、２回目以降の当該加入者からの通話要求の受付時には、当該登録された接続情報に基づいて着呼側の加入者と接続するものである。
【発明の効果】
【００１０】
本願に開示する呼制御サーバー装置は、加入者から通話要求を受付けた場合に、当該加入者に接続情報を都度問い合わせることを省略できることとなり、通信負荷を軽減し、VOIP電話システムの通信状態を安定化させることができる。
【図面の簡単な説明】
【００１１】
【図１】本発明の第１の実施形態に係る呼制御サーバー装置の構成を示すブロック図
【図２】本発明の第１の実施形態に係る呼制御サーバー装置のデータ例
【図３】本発明の第１の実施形態に係る呼制御サーバー装置の全体構成図
【図４】本発明の第１の実施形態に係る呼制御サーバー装置の初回通話要求時のフローチャート
【図５】本発明の第１の実施形態に係る呼制御サーバー装置の2回目以降の通話要求時のフローチャート
【図６】本発明の第１の実施形態に係る呼制御サーバー装置のシーケンス図
【図７】本発明の第１の実施形態に係る呼制御サーバー装置の初回通話時のシーケンス図
【図８】本発明の第１の実施形態に係る呼制御サーバー装置の登録変更のフローチャート
【図９】本発明のその他の実施形態に係る呼制御サーバー装置の構成を示すブロック図
【発明を実施するための形態】
【００１２】
（本発明の第１の実施形態）
以下、本発明の第１の実施形態に係る呼制御サーバー装置を、図１から図８に基づいて説明する。
図１は本発明の第１の実施形態に係る呼制御サーバー装置の構成を示すブロック図、図２はこの図１に記載された呼制御サーバー装置のデータ例、図３はこの図１に記載された呼制御サーバー装置の全体構成図を示す。
【００１３】
また、図４はこの図１に記載された呼制御サーバー装置の初回通話要求時のフローチャート、図５はこの図１に記載された呼制御サーバー装置の2回目以降の通話要求時のフローチャート、図６はこの図１に記載された呼制御サーバー装置のシーケンス図を示す。
また、図７はこの図１に記載された呼制御サーバー装置の初回通話時のシーケンス図、図８はこの図１に記載された呼制御サーバー装置の登録変更のフローチャートを示す。
【００１４】
図１において、本実施形態に係る呼制御サーバー装置１０は、通話要求受付手段１と、接続情報取得手段２と、記憶部３と、加入者情報３ａと、登録手段４と、登録確認手段５と、ＩＰ接続手段６と、変更受付手段７とを備える構成である。この通話要求受付手段１は、発呼側の契約者ＰＣ１００から発信された通話要求１００aを受付ける。
【００１５】
この接続情報取得手段２は、この通話要求受付手段１に基づいて、この加入者に関する接続情報をこの加入者に問い合わせて取得する。この加入者情報３ａは、複数の加入者の接続情報を含む。この記憶部３は、この加入者情報３ａに加入者の接続情報の記憶及び読込みを行う。この登録手段４は、この接続情報取得手段２に基づいて、各加入者の接続情報に関する加入者情報３ａをこの記憶部３に登録する。
【００１６】
また、この登録確認手段５は、この登録手段４により格納されたこの加入者情報３ａに基づいて、この通話要求１００aを実施した発呼側の加入者の接続情報が登録されているかを確認する。また、このＩＰ接続手段６は、この接続情報に基づいて発呼側及び着呼側の加入者を接続する。また、この変更受付手段７は、この加入者の契約者ＰＣ１００から発信された変更要求１００ｂを受付けることにより、この加入者に関する契約の変更を受付ける。
【００１７】
また、この加入者情報３ａは、図２に示すように、加入者登録番号項目と、電番項目と、加入者アドレス項目と、ＳＤＰ情報項目とを備える。この加入者登録番号項目は、加入者を一意に識別する登録番号を示す。この電番項目は、この加入者の電話番号を示す。この加入者アドレス項目は、この発呼側の契約者ＰＣ１００に固有のＩＰアドレスを示す。また、このＳＤＰ情報項目は、Session Description Protocol；SDP(セッション記述プロトコル)に関する情報を示す。このSDPは、セッション告知、セッションの招待などの形式を持つマルチメディアセッションの開始という目的で、マルチメディアセッションを記述するプロトコルである。
【００１８】
また、本実施形態の呼制御サーバー装置を含む全体構成は、図３に示すように、呼制御サーバー装置１０と、契約者ＰＣ１００と、加入者ＡのＩＰ電話端末２００Ａと、加入者ＢのＩＰ電話端末２００Ｂとを備える。また、この呼制御サーバー装置１０は、WEBカスコン(WEBカスタマーコントロール)１０aと、SIPサーバー（ACT）１０bと、SIPサーバー（SBY）１０ｃとを備える。この契約者ＰＣ１００は、加入者Ａが所有するパソコン端末である。
【００１９】
このWEBカスコン１０ａは、インターネット経由でWEBサイトへアクセスし、各種設定及び変更が自由に行えるWEBカスタマーコントロール機能を有する端末であり、Hyper Text Transfer Protocol；HTTP経由でSIPサーバーに対して発呼要求を出す。
【００２０】
また、このSIPサーバー（ACT）１０ｂは、二重化されたSIPサーバーのうち、稼動状態（アクティブ状態)のSIPサーバーである。また、このSIPサーバー（SBY）１０cは、二重化されたSIPサーバーのうち、待機状態(スタンバイ状態)のSIPサーバーである。
【００２１】
また、このSIPサーバー(ACT)１０ｂは、WEBカスコン受付部２１と、呼処理要求部２２と、SIP信号送受信部２３と、加入者情報抽出部２４と、SIP信号生成部２５と、加入者情報テーブル２６と、加入者情報登録部２７とを備える。また、このSIPサーバー(SBY)１０cは、このSIPサーバー(ACT)１０ｂと同じ構成である。
【００２２】
このWEBカスコン受付部２１は、前記通話要求受付手段１として機能し、WEBカスコン１０ａからの発呼要求を受付ける。この呼処理要求部２２は、SIP信号生成の要求を行う。SIP信号送受信部２３は、前記ＩＰ接続手段６及び変更受付手段７として機能し、契約者ＰＣ１００が変更された際に新規加入者情報の登録の受付及び加入者に対するSIP信号の送受信を行う。
【００２３】
加入者情報抽出部２４は、前記接続情報取得手段２として機能し、加入者から受信したSIP信号に基づいて、この加入者情報テーブル２６に登録される接続情報の抽出を行う。
SIP信号生成部２５は、前記登録確認手段５として機能し、加入者情報テーブル２６に登録される接続情報に基づいてSIP信号の生成を行う。
【００２４】
加入者情報テーブル２６は、前記加入者情報３ａとして、加入者２００の接続情報を格納する。加入者情報登録部２７は、前記記憶部３及び登録手段４として機能し、加入者の接続情報をこの加入者情報テーブル２６に登録する。
【００２５】
また、このSIPサーバー(ACT)１０ｂ及びSIPサーバー(SBY)１０cは、任意の時点でのシステム切替に備えて、二重化構成システムを維持するため、呼処理に関する情報を、SIPサーバー(ACT)１０ｂからSIPサーバー(SBY)１０cへ常時転送（系間転送）する。
【００２６】
以下、前記構成に基づく本実施形態の呼制御サーバー装置の動作について説明する。
まず、前記WEBカスコン１０aは、図４に示すように、前記契約者PC１００からの最初のWEBクリックに基づいて、前記SIPサーバー(ACT)１０ｂに対して通話要求を行う（Ｓ１０１）。前記SIPサーバー(ACT)１０ｂのWEBカスコン受付部２１は、この通話要求に基づいて、呼処理要求を前記呼処理要求部２２に通知する（S１０2）。
【００２７】
前記呼処理要求部２２は、前記加入者情報テーブル２６を参照し、前記ＩＰ電話端末２００Ａの接続情報が無いことを確認し、前記契約者PC１００からの最初の通話要求であることを確認する（Ｓ１０３）。ここで、前記呼処理要求部２２は、前記WEBカスコン１０aから受信したデータに含まれる電話番号をキーに前記加入者情報テーブル２６を検索し、前記加入者情報テーブル２６に登録されている電話番号が存在しない場合に、ＩＰ電話端末２００Ａの接続情報が無いと判断する。
【００２８】
前記呼処理要求部２２は、呼処理要求より「Click to dial」シーケンスに従ったSIP信号生成要求を前記SIP信号生成部２５に送出する（Ｓ１０４）。前記SIP信号生成部２５は、SIP信号を生成し、SIP信号送受信部２３から前記ＩＰ電話端末２００Ａに対して送信する（Ｓ１０５）。前記SIP信号送受信部２３は、前記ＩＰ電話端末２００Ａからのデータを受信し、前記加入者情報抽出部２４に通知する（Ｓ１０６）。
【００２９】
前記加入者情報抽出部２４は、この受信データに基づいて、前記ＩＰ電話端末２００Ａの接続情報を抽出し、前記加入者情報登録部２７に通知する（Ｓ１０７）。前記加入者情報登録部２７は、前記ＩＰ電話端末２００Ａの接続情報を前記加入者情報テーブル２６に登録する（Ｓ１０８）。
【００３０】
次に、前記WEBカスコン１０aは、図５に示すように、前記契約者PC１００からの２回目以降のWEBクリックに基づいて、前記SIPサーバー(ACT)１０ｂに対して通話要求を行う（Ｓ２０１）。前記SIPサーバー(ACT)１０ｂのWEBカスコン受付部２１は、この通話要求に基づいて、呼処理要求を前記呼処理要求部２２に通知する（S２０2）。
【００３１】
前記呼処理要求部２２は、前記加入者情報テーブル２６を参照し、前記ＩＰ電話端末２００Ａの接続情報が有ることを確認し、前記契約者PC１００からの2回目以降の通話要求であることを確認する（Ｓ２０３）。ここで、前記呼処理要求部２２は、前記WEBカスコン１０aから受信したデータに含まれる電話番号をキーに前記加入者情報テーブル２６を検索し、前記加入者情報テーブル２６に登録されている電話番号と一致した場合に、ＩＰ電話端末２００Ａの接続情報が存在すると判断する。
【００３２】
前記呼処理要求部２２は、前記ＩＰ電話端末２００Ｂに対して、前記ＩＰ電話端末２００Ａの情報を通知する信号であるINVITEを送出するように前記SIP信号生成部２５に要求する（Ｓ２０４）。前記SIP信号生成部２５は、前記ＩＰ電話端末２００Ａの情報から前記ＩＰ電話端末２００Ｂに送出するINVITEを生成する（Ｓ２０５）。前記SIP信号送受信部２３は、生成したINVITEを前記ＩＰ電話端末２００Ｂに送信し、前記ＩＰ電話端末２００Ａ及び前記ＩＰ電話端末２００ＢにおけるReal-time Transport Protocol ；RTP（リアルタイムストリーミングプロトコル）セッションを確立する（Ｓ２０６）。
【００３３】
前記SIPサーバー(ACT)１０ｂ及びSIPサーバー(SBY)１０cは、図６に示すように、このＳ２０６のRTPセッション確立について、２回の系間転送を行う。前記SIP信号送受信部２３は、同図に示すように、前記Ｓ２０６において、前記ＩＰ電話端末２００Ａの接続情報（offer1）が前記加入者情報テーブル２６に保持されている場合には、INVITEを前記ＩＰ電話端末２００Ｂとやり取りする（Ｓ１〜Ｓ４）。
【００３４】
前記SIPサーバー(ACT)１０ｂは、このＳ１〜Ｓ４において、接続情報（offer1）に関するINVITEを前記ＩＰ電話端末２００Ｂに送信し（Ｓ１）、前記ＩＰ電話端末２００Ｂからこの応答を受信し（Ｓ２）、前記ＩＰ電話端末２００ＢにACK送信する（Ｓ４）。前記SIPサーバー(ACT)１０ｂ及びSIPサーバー(SBY)１０cは、このＳ１〜Ｓ４の一連のやり取りに対して1回の前記系間転送を行う（Ｓ３）。
【００３５】
次に、前記SIP信号送受信部２３は、INVITEを前記ＩＰ電話端末２００Ａとやり取りする（Ｓ５〜Ｓ８）。前記SIPサーバー(ACT)１０ｂは、このＳ５〜Ｓ８において、前記Ｓ２の応答で得られたSDP情報（answer1）に関するINVITEを前記ＩＰ電話端末２００Ａに送信し（Ｓ５）、前記ＩＰ電話端末２００Ａからこの応答を受信し（Ｓ６）、前記ＩＰ電話端末２００ＡにACK送信する（Ｓ７）。前記SIPサーバー(ACT)１０ｂ及びSIPサーバー(SBY)１０cは、このＳ５〜Ｓ８の一連のやり取りに対して1回の前記系間転送を行う（Ｓ８）。
【００３６】
このように、前記加入者２００の２回目以降の通話要求を受けた場合に、前記Ｓ１０５におけるINVITE送信を、通話要求を受ける都度に実施することが不要なことから、前記系間転送の回数を低減させることとなり、通信負荷を低減することができる。また、前記系間転送の低減を伴う通信負荷の低減により、システムとしての最大呼量を増加させることとなり、SIPサーバー配下に収容できるユーザ数を増加させることができる。また、通話呼接続に直接関連しないRTPセッション確立に関連するメッセージシーケンスを最低限に抑えることから、通話呼自体には影響を与えないこととなり、通信品質を確保しつつ通信負荷を低減することができる。
【００３７】
また、上記では、最初のWEBクリックでは、前記加入者情報テーブル２６に前記ＩＰ電話端末２００Ａの接続情報を登録するのみで通話は行わないものとしたが、この最初のWEBクリックで、通話を行うようにすることも可能である。この場合には、前記SIPサーバー(ACT)１０ｂは、図７に示すように、前記ＩＰ電話端末２００Ａの接続情報（offer1）が前記加入者情報テーブル２６に無いために、前記ＩＰ電話端末２００ＡにINVITE送信を行う（Ｓ９〜Ｓ１２）。
【００３８】
前記SIPサーバー(ACT)１０ｂは、このＳ９〜Ｓ１２において、接続情報（offer1）に関するINVITEを前記ＩＰ電話端末２００Ａに送信し（Ｓ９）、前記ＩＰ電話端末２００Ａからこの応答を受信し（Ｓ１０）、前記ＩＰ電話端末２００ＢにACK送信する（Ｓ１１）。前記SIPサーバー(ACT)１０ｂ及びSIPサーバー(SBY)１０cは、このＳ９〜Ｓ１２の一連のやり取りに対して1回の前記系間転送を行う（Ｓ１２）。
【００３９】
次に、前記SIP信号送受信部２３は、INVITEを前記ＩＰ電話端末２００Ｂとやり取りする（Ｓ１３〜Ｓ１５）。前記SIPサーバー(ACT)１０ｂは、このＳ１３〜Ｓ１５において、INVITEを前記ＩＰ電話端末２００Ｂに送信し（Ｓ１３）、前記ＩＰ電話端末２００Ｂからこの応答を接続情報（offer2）のINVITEとして受信する（Ｓ１４）。前記SIPサーバー(ACT)１０ｂ及びSIPサーバー(SBY)１０cは、このＳ１３〜Ｓ１５の一連のやり取りに対して1回の前記系間転送を行う（Ｓ１５）。
【００４０】
前記SIPサーバー(ACT)１０ｂは、前記ＩＰ電話端末２００Ｂの接続情報（offer2）を、前記ＩＰ電話端末２００Ａに通知する為にINVITE送信を行う（Ｓ１６〜Ｓ２０）。
【００４１】
前記SIPサーバー(ACT)１０ｂは、このＳ１６〜Ｓ２０において、接続情報（offer2`）に関するINVITEを前記ＩＰ電話端末２００Ａに送信し（Ｓ１６）、前記ＩＰ電話端末２００Ａからこの応答を受信し（Ｓ１７）、前記ＩＰ電話端末２００ＢにACK送信する（Ｓ１８）。また、前記SIPサーバー(ACT)１０ｂは、前記ＩＰ電話端末２００ＡにACK送信する（Ｓ１９）。前記SIPサーバー(ACT)１０ｂ及びSIPサーバー(SBY)１０cは、このＳ１６〜Ｓ２０の一連のやり取りに対して1回の前記系間転送を行う（Ｓ２０）。
【００４２】
このように、最初のWEBクリックで通話を行う場合には、 図７に示すように、前記ＩＰ電話端末２００Ａに対して２回のINVITE送信(A,B)及びそれに付随する系間転送(Ｓ１２,Ｓ２０)が発生するが、２回目以降のWEBクリックでは１回のINVITE送信及び系間転送となる。このように、最初のWEBクリックで通話を行う場合にも、２回目以降のWEBクリックでは、前記Ｓ１０５におけるINVITE送信を、通話要求を受ける都度に実施することが不要なことから、前記系間転送の回数を低減させることとなり、通信負荷を低減することができる。
【００４３】
また、前記契約者PC１００は、図８に示すように、前記ＩＰ電話端末２００Ａが前記加入者Ｃ２００Ｃに変更となった場合には、WEBクリックを行う（Ｓ３０１）。このWEBクリックにより、前記WEBカスコン１０aは、前記加入者Ｃ２００ＣからREGISTER（登録）の信号を受付け、前記SIP信号送受信部２３にこの信号を送出する（Ｓ３０２）。
【００４４】
前記SIP信号送受信部２３は、REGISTERの信号を受信し、前記加入者情報抽出部２４に通知する（Ｓ３０３）。前記加入者情報抽出部２４は、前記加入者情報登録部２７に前記加入者Ｃ２００Ｃの接続情報を通知する（Ｓ３０４）。前記加入者情報登録部２７は、前記加入者Ｃ２００Ｃの接続情報を前記加入者情報テーブル２６に登録する（Ｓ３０５）。
【００４５】
このように、前記加入者情報登録部２７は、契約者が変更した場合でも、REGISTER信号によりこの契約者変更を前記加入者情報テーブル２６に反映できることとなり、新規加入者と既存加入者間の通話確立におけるメッセージシーケンスを削減することができる。
また、本実施形態に係る呼制御サーバー装置のハードウェア構成は、ＣＰＵ、メモリ、入力装置及び上記各部を接続するバスからなる。
【００４６】
（本発明のその他の実施形態）
本発明のその他の実施形態に係る呼制御サーバー装置を、前記第１の実施形態との変更部分に関して、図９に基づいて説明する。
図９は本発明のその他の実施形態に係る呼制御サーバー装置の構成を示すブロック図を示す。
【００４７】
図１において、本実施形態に係る呼制御サーバー装置１０は、前記第１の実施形態と同様に、通話要求受付手段１と、接続情報取得手段２と、記憶部３と、加入者情報３ａと、登録手段４と、登録確認手段５と、ＩＰ接続手段６とを備える構成である。また、本呼制御サーバー装置１０は、前記第１の実施形態からの変更箇所として、前記変更受付手段７の代わりにフォーマット解析手段８を備える。
【００４８】
このフォーマット解析手段８は、前記通話要求受付手段１に基づいて、加入者からの通話要求に含まれる加入者識別子であって、この加入者を一意に識別する加入者識別子を抽出する。
【００４９】
また、本実施形態の呼制御サーバー装置を含む全体構成は、前記第１の実施形態に記載した図３に示すように、呼制御サーバー装置１０と、契約者ＰＣ１００と、加入者ＡのＩＰ電話端末２００Ａと、加入者ＢのＩＰ電話端末２００Ｂとを備える。また、この呼制御サーバー装置１０は、前記第１の実施形態と同様に、WEBカスコン１０aと、SIPサーバー（ACT）１０bと、SIPサーバー（SBY）１０ｃとを備える。
【００５０】
また、このSIPサーバー(ACT)１０ｂ及びSIPサーバー(SBY)１０cは、前記第１の実施形態と同様に、WEBカスコン受付部２１と、呼処理要求部２２と、SIP信号送受信部２３とを備える。また、このSIPサーバー(ACT)１０ｂ及びSIPサーバー(SBY)１０cは、加入者情報抽出部２４と、SIP信号生成部２５と、加入者情報テーブル２６と、加入者情報登録部２７とを備える。
【００５１】
前記SIP信号送受信部２３は、本実施形態においては、前記ＩＰ接続手段６及びフォーマット解析手段８として機能し、加入者に対するSIP信号の送受信を行うとともに、前記加入者識別子に基づいて、前記契約者ＰＣ１００の変更を認識する。
【００５２】
前記加入者情報テーブル２６は、本実施形態においては、前記加入者情報３ａとして、ＩＰ電話端末２００Ａの接続情報を格納し、前記加入者アドレス項目を前記加入者識別子として使用する。
【００５３】
以下、前記構成に基づく本実施形態の呼制御サーバー装置の動作について、前記第１の実施形態との変更部分に関して説明する。
まず、前記呼制御サーバー装置１０は、前記第１の実施形態に記載した図８に示すように、前記Ｓ３０２にて、前記SIP信号送受信部２３は、前記フォーマット解析手段８として機能する。
【００５４】
前記SIP信号送受信部２３は、前記Ｓ３０２にて、受信したデータの送信元である加入者のＩＰアドレスを検出する。前記呼処理要求部２２は、前記WEBカスコン１０aから受信したデータに含まれる電話番号をキーに前記加入者情報テーブル２６を検索し、前記加入者情報テーブル２６に登録されている電話番号が存在しない場合に、ＩＰ電話端末２００Ａの接続情報が無いと判断する。さらに、前記呼処理要求部２２は、この検出したＩＰアドレスをキーに前記加入者情報テーブル２６を検索し、前記加入者情報テーブル２６に存在する場合には加入者の端末が変更されたことを認識し、前記加入者情報テーブル２６にこの端末変更を反映する。
【００５５】
このように、前記加入者識別子により契約者ＰＣの変更を認識することから、端末変更に関する通話呼接続に直接関連しない信号の送受信が不要なこととなり、通信品質を確保しつつ通信負荷を低減することができる。
【００５６】
なお、上記実施形態では、前記加入者識別子に前記加入者情報テーブル２６の前記加入者アドレス項目を使用したが、この形態に限定されず、例えば、契約者ＰＣ１００のＭＡＣアドレスを用いることも可能である。このＭＡＣアドレスは、前記加入者情報テーブル２６に項目追加してＭＡＣアドレス項目として保持して使用することができる。ＭＡＣアドレスは、端末を一意に識別できることから、端末変更を正確に認識できることとなり、容易且つ正確に端末変更を行うことができる。
【００５７】
［付記］  以上の実施例を含む実施形態に関し、更に以下の付記を開示する。
（付記１）発呼側及び着呼側の加入者の通話を呼制御により確立する呼制御サーバー装置において、加入者からの通話要求を受付ける通話要求受付手段と、当該通話要求受付手段に基づいて、当該加入者に関する接続情報を当該加入者に問い合わせて取得する接続情報取得手段と、前記接続情報取得手段にて取得した各加入者の接続情報に関する加入者情報を登録する登録手段と、前記通話要求受付手段にて通話要求を受付けた発呼側の加入者の接続情報が、前記登録手段に登録されているかを確認する登録確認手段と、前記接続情報に基づいて前記発呼側及び着呼側の加入者を接続する接続手段とを備え、接続情報取得手段が、前記登録確認手段に基づいて、前記発呼側の加入者の接続情報が前記加入者情報に登録済みの場合には、前記登録された接続情報に基づいて着呼側の加入者と接続する呼制御サーバー装置。
【００５８】
（付記２）前記加入者の変更を受付ける変更受付手段を備え、前記登録手段が、前記変更受付手段に基づいて、前記加入者が変更された場合には、変更前の前記加入者の前記加入者情報を、変更後の前記加入者の前記加入者情報として登録する付記１記載の呼制御サーバー装置。
【００５９】
（付記３）前記通話要求受付手段に基づいて、前記加入者からの前記通話要求に含まれる加入者識別子であって、前記加入者を一意に識別する加入者識別子を抽出するフォーマット解析手段を備え、前記登録手段が、前記フォーマット解析手段に抽出された前記加入者識別子に基づいて、前記加入者が変更された場合には、変更前の前記加入者の前記加入者情報を、変更後の前記加入者の前記加入者情報として登録する付記１記載の呼制御サーバー装置。
【００６０】
（付記４）発呼側及び着呼側の加入者の通話を呼制御により確立する呼制御サーバー方法において、加入者からの通話要求を受付ける通話要求受付工程と、当該通話要求受付工程に基づいて、当該加入者に関する接続情報を当該加入者に問い合わせて取得する接続情報取得工程と、前記接続情報取得工程にて取得した各加入者の接続情報に関する加入者情報を登録する登録工程と、前記通話要求受付工程にて通話要求を受付けた発呼側の加入者の接続情報が、前記登録工程に登録されているかを確認する登録確認工程と、前記接続情報に基づいて前記発呼側及び着呼側の加入者を接続する接続工程とを備え、接続情報取得工程が、前記登録確認工程に基づいて、前記発呼側の加入者の接続情報が前記加入者情報に登録済みの場合には、前記登録された接続情報に基づいて着呼側の加入者と接続する呼制御サーバー制御方法。
【００６１】
（付記５）前記加入者の変更を受付ける変更受付工程を備え、前記登録工程が、前記変更受付工程に基づいて、前記加入者が変更された場合には、変更前の前記加入者の前記加入者情報を、変更後の前記加入者の前記加入者情報として登録する付記４記載の呼制御サーバー制御方法。
【００６２】
（付記６）前記通話要求受付工程に基づいて、前記加入者からの前記通話要求に含まれる加入者識別子であって、前記加入者を一意に識別する加入者識別子を抽出するフォーマット解析工程を備え、前記登録工程が、前記フォーマット解析工程に抽出された前記加入者識別子に基づいて、前記加入者が変更された場合には、変更前の前記加入者の前記加入者情報を、変更後の前記加入者の前記加入者情報として登録する付記４記載の呼制御サーバー制御方法。
【００６３】
（付記７）発呼側及び着呼側の加入者の通話を呼制御により確立する呼制御サーバープログラムにおいて、加入者からの通話要求を受付ける通話要求受付手段、当該通話要求受付手段に基づいて、当該加入者に関する接続情報を当該加入者に問い合わせて取得する接続情報取得手段、前記接続情報取得手段にて取得した各加入者の接続情報に関する加入者情報を登録する登録手段、前記通話要求受付手段にて通話要求を受付けた発呼側の加入者の接続情報が、前記登録手段に登録されているかを確認する登録確認手段、前記接続情報に基づいて前記発呼側及び着呼側の加入者を接続する接続手段としてコンピュータを機能させ、接続情報取得手段が、前記登録確認手段に基づいて、前記発呼側の加入者の接続情報が前記加入者情報に登録済みの場合には、前記登録された接続情報に基づいて着呼側の加入者と接続する呼制御サーバープログラム。
【００６４】
（付記８）前記加入者の変更を受付ける変更受付手段としてコンピュータを機能させ、前記登録手段が、前記変更受付手段に基づいて、前記加入者が変更された場合には、変更前の前記加入者の前記加入者情報を、変更後の前記加入者の前記加入者情報として登録する付記７記載の呼制御サーバープログラム。
【００６５】
（付記９）前記通話要求受付手段に基づいて、前記加入者からの前記通話要求に含まれる加入者識別子であって、前記加入者を一意に識別する加入者識別子を抽出するフォーマット解析手段としてコンピュータを機能させ、前記登録手段が、前記フォーマット解析手段に抽出された前記加入者識別子に基づいて、前記加入者が変更された場合には、変更前の前記加入者の前記加入者情報を、変更後の前記加入者の前記加入者情報として登録する付記７記載の呼制御サーバープログラム。
【符号の説明】
【００６６】
１  通話要求受付手段
２  接続情報取得手段
３  記憶部
３ａ  加入者情報
４  登録手段
５  登録確認手段
６  ＩＰ接続手段
７  変更受付手段
８  フォーマット解析手段
１０  呼制御サーバー装置
１０a  WEBカスコン
１０b  SIPサーバー（ACT）
１０ｃ  SIPサーバー（SBY）
２１  WEBカスコン受付部
２２  呼処理要求部
２３  SIP信号送受信部
２４  加入者情報抽出部
２５  SIP信号生成部
２６  加入者情報テーブル
２７  加入者情報登録部
１００  契約者ＰＣ
１００ａ  通話要求
１００ｂ  変更要求
２００Ａ  ＩＰ電話端末（加入者Ａ）
２００Ｂ  ＩＰ電話端末（加入者Ｂ）
【図１】
2010232830.tif 000003
【図２】
2010232830.tif 000004
【図３】
2010232830.tif 000005
【図４】
2010232830.tif 000006
【図５】
2010232830.tif 000007
【図６】
2010232830.tif 000008
【図７】
2010232830.tif 000009
【図８】
2010232830.tif 000010
【図９】
2010232830.tif 000011